(57)【要約】【課題】  複数画像のインデックス表示を実行する際、表示対象画像が未だ表示可能な状態に生成されていない場合でも、生成に先立って取得する画像サイズに従った仮イメージを表示させることにより、全体の正確なレイアウトを早期に確認可能とする。【解決手段】  デジタル静止画像のインデックス表示を実行する情報処理装置であって、  表示装置で表示すべき設定情報を管理する表示設定管理手段と、前記表示設定管理手段が保持する設定情報に基づいて、画像記録媒体から表示すべきデジタル静止画像を取得する画像取得手段と、前記画像取得手段が取得したデジタル静止画像から画像サイズを取得する画像情報取得手段と、前記画像取得手段が取得したデジタル静止画像から表示画像を生成する表示画像生成手段と、前記表示設定管理手段が保持する設定情報に基づいて前記表示画像生成手段により生成される画像を並べて表示させるインデックス表示制御手段と、を備えることを特徴とする情報処理装置。【選択図】        図１
2006072915.tif 000002
【特許請求の範囲】
【請求項１】
デジタル静止画像のインデックス表示を実行する情報処理装置であって、
表示装置で表示すべき設定情報を管理する表示設定管理手段と、
前記表示設定管理手段が保持する設定情報に基づいて、画像記録媒体から表示すべきデジタル静止画像を取得する画像取得手段と、
前記画像取得手段が取得したデジタル静止画像から画像サイズを取得する画像情報取得手段と、
前記画像取得手段が取得したデジタル静止画像から表示画像を生成する表示画像生成手段と、
前記表示設定管理手段が保持する設定情報に基づいて前記表示画像生成手段により生成される画像を並べて表示させるインデックス表示制御手段と、
を備えることを特徴とする情報処理装置。
【請求項２】
ユーザーからの指示に基づいて、表示設定情報を入力する表示設定入力手段を更に有し、
前記表示設定管理手段は、前記表示設定入力手段から入力された表示設定を管理することを特徴とする請求項１記載の情報処理装置。
【請求項３】
前記画像情報取得手段は、前記表示画像生成手段での表示画像の生成に先立って、前記画像取得手段がデジタル静止画像のヘッダー部分を取得した段階で、ヘッダーから画像サイズを取得することを特徴とする請求項１または２に記載の情報処理装置。
【請求項４】
前記インデックス表示制御手段は、表示すべき画像が未だ前記表示画像生成手段により生成されていない場合は、前記表示設定管理手段が保持する設定情報の表示画像サイズに基づいた仮のイメージを表示させることを特徴とする請求項１または２に記載の情報処理装置。
【請求項５】
前記インデックス表示制御手段は、表示すべき画像が未だ前記表示画像生成手段により生成されていない場合で、かつ、前記画像情報取得手段が表示すべき画像の画像サイズを取得している場合は、前記画像情報取得手段が取得した画像サイズに基づいた仮のイメージを表示させることを特徴とする請求項１または２に記載の情報処理装置。
【請求項６】
前記インデックス表示制御手段は、インデックスとして表示すべき画像が全て表示されていない場合は、前記画像情報生成手段に問い合せ、新たに生成された表示画像を逐次表示させることを特徴とする請求項１または２に記載の情報処理装置。
【発明の詳細な説明】
【技術分野】
【０００１】
本発明は、デジタル静止画像の表示方法に関し、特に複数のデジタル静止画像を並べたインデックス表示を実行する情報処理装置に関する。
【背景技術】
【０００２】
本発明と技術分野が類似する従来例として、下記特許文献１がある。本従来例では、複数の画像を順次表示させる処理において、次の画像表示前に、その画像の撮影日付、画像の種類、被写体名の付帯情報を予めインデックス画像として表示させる技術が提案されている。
【０００３】
このほか、印刷プレビュー表示プログラム等においては、表示画像が生成されるまでの間は印刷レイアウトの枠のみを表示しておく機能を有するものや、プログレスバーを表示して処理経過を通知する機能を有するものがある。
【特許文献１】特開平７−２１０１２８号公報
【発明の開示】
【発明が解決しようとする課題】
【０００４】
従来の情報処理装置における複数のデジタル静止画像を並べる表示方法は、表示対象である画像が表示可能な状態になるまで、実際の画像サイズに沿わないレイアウト枠や画像付帯情報を仮のイメージとして表示させるか、もしくは、処理待ちである旨を通知するための表示をさせるかのいずれかであった。そのため、表示対象である全画像が表示可能状態となるまで、全体の正確な表示レイアウトを確認することは不可能となる。特にファイルサイズの大きな画像が対象となる場合にはこれが顕著に現れ、ユーザーに表示待ち時間を長く感じさせてしまうこととなる。
【０００５】
本発明は上記問題を鑑みてなされたものであり、表示対象となる画像が表示可能な状態になるまで、画像サイズに沿った仮のイメージを表示させることにより、正確な画像配置を早期段階で実現できる情報処理装置を提供することを第１の目的とする。また、複数の画像を表示させる処理において、先の画像の表示状態に係わらず、次の画像の表示処理を実行することで、全画像表示までの処理待ち時間を感じさせることを低減させることのできる情報処理装置を提供することを第２の目的とする。
【課題を解決するための手段】
【０００６】
上記目的を達成するために、本発明に係わる第１の発明は、デジタル静止画像のインデックス表示を実行する情報処理装置であって、表示装置で表示すべき設定情報を管理する表示設定管理手段と、前記表示設定管理手段が保持する設定情報に基づいて、画像記録媒体から表示すべきデジタル静止画像を取得する画像取得手段と、前記画像取得手段が取得したデジタル静止画像から画像サイズを取得する画像情報取得手段と、前記画像取得手段が取得したデジタル静止画像から表示画像を生成する表示画像生成手段と、前記表示設定管理手段が保持する設定情報に基づいて前記表示画像生成手段により生成される画像を並べて表示させるインデックス表示制御手段とを備えることを特徴とする。
【０００７】
上記目的を達成するために、本発明に係わる第２の発明は、第１の発明において、ユーザーからの指示に基づいて、表示設定情報を入力する表示設定入力手段を更に有し、前記表示設定管理手段は、前記表示設定入力手段から入力された表示設定を管理することを特徴とする。
【０００８】
上記目的を達成するために、本発明に係わる第３の発明は、第１または第２の発明において、前記画像情報取得手段は、前記表示画像生成手段での表示画像の生成に先立って、前記画像取得手段がデジタル静止画像のヘッダー部分を取得した段階で、ヘッダーから画像サイズを取得することを特徴とする。
【０００９】
上記目的を達成するために、本発明に係わる第４の発明は、第１または第２の発明において、前記インデックス表示制御手段は、表示すべき画像が未だ前記表示画像生成手段により生成されていない場合は、前記表示設定管理手段が保持する設定情報の表示画像サイズに基づいた仮のイメージを表示させることを特徴とする。
【００１０】
上記目的を達成するために、本発明に係わる第５の発明は、第１または第２の発明において、前記インデックス表示制御手段は、表示すべき画像が未だ前記表示画像生成手段により生成されていない場合で、かつ、前記画像情報取得手段が表示すべき画像の画像サイズを取得している場合は、前記画像情報取得手段が取得した画像サイズに基づいた仮のイメージを表示させることを特徴とする。
【００１１】
上記目的を達成するために、本発明に係わる第６の発明は、第１または第２の発明において、前記インデックス表示制御手段は、インデックスとして表示すべき画像が全て表示されていない場合は、前記画像情報生成手段に問い合せ、新たに生成された表示画像を逐次表示させることを特徴とする。
【発明の効果】
【００１２】
本発明の情報処理装置によれば、表示対象となる画像が表示可能な状態になるまで、画像サイズに沿った仮のイメージを表示させることにより、早期段階での正確な画像配置を、目視で容易に確認することを可能とする。また、インデックス表示のような複数の画像を表示させる処理において、先の画像の表示状態に係わらず、次の画像の表示処理を実行することで、特にファイルサイズの大きな画像が対象となる場合には、全画像表示までの待ち時間を感じさせることを低減することを可能とする等の効果を奏する。
【発明を実施するための最良の形態】
【００１３】
以下、図面を参照しながら実施例を説明する。
【実施例】
【００１４】
図１は、本発明の一実施形態を示す表示システムの一例を示す図であり、プリンタドライバがインストールされている情報処理装置１００と、デジタル静止画像が保存された外部メモリデバイス（例えばメモリカードが挿入されたカードコントローラ）１０４、およびインクジェットプリンタ（以下、プリンタ）１０５が、例えばＵＳＢインターフェース１０６でそれぞれ接続されている。情報処理装置１００には、表示装置１０１，本体１０２，入力デバイス１０３等が含まれる。
【００１５】
図２は、情報処理装置（以下、ＰＣと略記する）１００の基本的なハードウェア構成例を示すブロック図である。
【００１６】
図２において、ＰＣ１００は、その本体部１０２に、命令に従って演算、判断等を行ってデータ処理やデバイスの制御等を行うための中央演算処理装置（以下ＣＰＵと呼ぶ。）２０１と、オペレーティングシステム（以下ＯＳと呼ぶ。）やプリンタドライバその他の制御プログラムを格納するＲＡＭ２０２およびＲＯＭ２０３や、ハードディスク（以下ＨＤＤと呼ぶ）２０４等の記憶装置と、例えばＵＳＢ、ＳＣＳＩや無線等のデータ通信を行うための通信インターフェース２０５と、システムバス２０８とを有する。更に、ユーザーインターフェースとして用いるキーボード２０６やマウス２０７等の入力デバイス１０３と、ＣＲＴや液晶ディスプレイからなる表示装置１０１とが接続されている。入力デバイス１０３や表示装置１０１は、それぞれ入力インターフェースおよびグラフィックコントローラを介して接続される。
【００１７】
図３は、図２に示した情報処理装置１００において実行される表示アプリケーションにおける機能構成図を示すブロック図である。図３の構成、特に表示アプリケーション３０１や通信インターフェース３０２、ユーザーインターフェース３０３、プリンタドライバ３０４等は、ＣＰＵ２０１によりＲＡＭ２０２あるいはＲＯＭ２０３に格納された所定のプログラムを実行することで実現される。
【００１８】
表示アプリケーション３０１は、プリンタドライバ３０４や図示しない印刷アプリケーションが保持する印刷設定に基づき、通信インターフェース３０２を介して接続される図１に示した外部メモリデバイス１０４が保存するデジタル静止画像（以下、画像）データを、ＯＳおよびディスプレイドライバを介して表示装置１０１に表示させる機能を有している。表示アプリケーション３０１は、通常ＨＤＤ２０４上に記録され、ＣＰＵ２０１によりＲＡＭ２０２上にロードされて実行される。
【００１９】
プリンタドライバ３０４は、プリンタ１０５に対して設定可能な印刷設定情報を有しており、その主な項目には用紙サイズ、用紙方向等がある。一旦設定された各項目の値はＨＤＤ２０４等に保存される。もちろん設定の変更はユーザーインターフェース３０３から行うことが可能である。プリンタドライバ３０４もＣＰＵ２０１により実行されるプログラムであり、プリンタ１０５の機能等に応じて適切な設定や制御を可能ならしめるために、プリンタに応じて用意される。また、図示しない印刷アプリケーションでは１枚の用紙上での画像並びの定義を有しており、プリンタドライバ３０４と同様にＣＰＵ２０１により実行されるプログラムである。
【００２０】
なお図３においては表示アプリケーション３０１とプリンタドライバ３０４とが直接コミュニケーションするように記載されているが、オペレーティングシステムによってはアプリケーションとプリンタドライバとはオペレーティングシステムを介してのみコミュニケーションできるものもある。本発明はこのようなオペレーティングシステムの下で実行される表示アプリケーションについてももちろん適用できるものであるが、本実施形態の説明においてはオペレーティングシステムの存在は特に重要ではないのでその記載を省略する。
【００２１】
次に表示アプリケーション３０１を構成するモジュールについて説明する。表示アプリケーション３０１内で「手段」と呼ばれているブロックは全てソフトウエアモジュールとして実現される。
【００２２】
表示アプリケーション３０１において、表示設定管理手段３０６は、プリンタドライバ３０４が有する用紙サイズや、図示しない印刷アプリケーションが有する印刷レイアウト情報を取得し、表示設定情報として保存する。また、通信インターフェース３０２を介して外部メモリデバイス１０４が保存している画像データ数を取得し、表示設定情報として保存する。本実施例では、印刷アプリケーションが有する印刷レイアウト情報を、複数の画像を並べて表示させるインデックス印刷とするが、もちろんインデックスに限らず１画像のみのレイアウトであっても良い。
【００２３】
画像取得手段３０７は、表示設定管理手段３０６が保存している表示設定情報に従い、通信インターフェース３０２を介して外部メモリデバイス１０４から表示対象画像データを取得する。
【００２４】
画像情報取得手段３０８は、画像取得手段３０７が取得した画像データのヘッダー部分から画像サイズを取得する。画像サイズは画像の幅と高さの情報であって、対象画像データのファイルフォーマットがＥｘｉｆである場合には、Ｅｘｉｆタグ情報にある画像サイズを取得し、Ｅｘｉｆでなかった場合には、ファイルヘッダーを解析して画像サイズを取得する。画像サイズの取得は、画像取得手段３０７がファイルヘッダーを取得した段階で可能となる。
【００２５】
表示画像生成手段３０９は、画像取得手段３０７が取得した画像データをＲＧＢフルカラー多値のビットマップデータへ変換することにより、表示可能な画像データを生成する。
【００２６】
表示制御手段３１０は、表示設定管理手段３０６が保存する表示設定情報に基づき、表示画像生成手段３０９が生成した表示画像を適切なサイズに伸縮させ、印刷プレビューとして表示させる。表示対象画像が未だ表示画像生成手段３０９で生成されていない場合には、画像を表示させるべき領域上の適切なサイズをグレーに塗りつぶすことで、仮のイメージとして表示させる。ここで述べた適切なサイズの決定方法については後述する。
【００２７】
表示設定入力手段３０５は、表示対象画像、レイアウトの表示設定情報をユーザーからユーザーインターフェース３０３を介して取得し、表示設定管理手段３０６により保存する。
【００２８】
以上、本発明の好適な実施形態の構成および動作を示すための機能構成について説明した。次に、上述した本実施形態の表示システムにおける情報処理装置でのインデックス印刷プレビュー処理の手順の詳細について説明する。
【００２９】
図４は、本発明の情報処理装置におけるインデックス印刷プレビュー処理全体の第一実施形態のフローチャートである。なお、Ｓ１０１〜Ｓ１０６は各ステップを示す。
【００３０】
表示アプリケーション３０１が起動されると、ステップＳ１０１において、表示設定管理手段３０６がプリンタドライバ３０４と図示しない印刷アプリケーションから印刷レイアウト情報を取得し、表示設定情報として管理する。更に、表示設定管理手段３０６は通信インターフェース３０２を介して図１に示した外部メモリデバイス１０４から画像データ数を取得し、表示設定情報として管理する。
【００３１】
続いて、ステップＳ１０２において、画像取得手段３０７は、ステップＳ１０１で取得した表示設定情報を参照して、表示対象画像データを通信インターフェース３０２を介して図１に示した外部メモリデバイス１０４より取得する。
【００３２】
ステップＳ１０３では、画像情報取得手段３０８が、ステップＳ１０２で取得した画像データから画像サイズを取得する。
【００３３】
ステップＳ１０４では、表示画像生成手段３０９が、ステップＳ１０２で取得した画像データから表示可能なビットマップ画像を生成する。
【００３４】
ステップＳ１０５では、ステップＳ１０１で取得した表示設定情報を参照して、ステップＳ１０４で生成した表示画像をインデックス印刷プレビューとして表示させる。表示対象の画像が、ステップＳ１０４において未だ生成されていない場合には、対象の表示領域に仮のイメージを表示させる。
【００３５】
ステップＳ１０５で表示させるインデックス印刷プレビューにおいて、全ての画像が表示された、つまり、仮のイメージを含まない状態で表示対象となっている全画像が表示されているかどうかを、表示制御手段３１０がステップＳ１０６で判断し、表示されていない（Ｎｏ）と判断された場合は、ステップＳ１０２の処理へ戻り、表示された（Ｙｅｓ）と判断された場合は、処理を終了する。
【００３６】
次に、図４に示した全体処理における表示制御処理（図４のステップＳ１０５）の詳細な処理工程を、図５を参照しながら説明する。
【００３７】
図５は、本発明の情報処理装置におけるインデックス印刷プレビューの表示制御処理のフローチャートである。なお、Ｓ２０１〜Ｓ２１０は各ステップを示す。
【００３８】
表示アプリケーション３０１が起動されると、表示制御手段３１０は表示設定管理手段３０６が取得した表示設定情報を参照し、表示すべき画像が指定されているならば、ステップＳ２０１において、表示対象となる画像に対応する画像サイズを画像情報取得手段３０８から取得する。
【００３９】
続いてステップＳ２０２において、表示対象となる画像に対応する表示画像を、表示画像生成手段３０９から取得する。
【００４０】
ステップＳ２０３では、ステップＳ２０２で表示画像が取得できたかを判断し、取得できた（Ｙｅｓ）ならばステップＳ２０４の処理を行う。
【００４１】
ステップＳ２０４では、表示設定管理手段３０６が取得した表示設定情報（ここでは特に印刷レイアウト情報）を参照し、ステップＳ２０２で取得した表示画像に対応する表示領域サイズと、ステップＳ２０１で取得した画像サイズから画像を表示させるべき表示サイズを決定する。
【００４２】
ステップＳ２０５では、ステップＳ２０２で取得した画像を、ステップＳ２０４で決定した表示サイズに伸縮させ、表示対象領域上に表示させ、処理を終了する。
【００４３】
また、ステップＳ２０３において、表示画像が取得できなかった（Ｎｏ）と判断したならば、ステップＳ２０６の処理を行う。
【００４４】
ステップＳ２０６では、ステップＳ２０１において画像サイズが取得できたかを判断し、取得できた（Ｙｅｓ）ならばステップＳ２０７の処理を行う。
【００４５】
ステップＳ２０７の処理は、前述したステップＳ２０４の処理と同様である。
【００４６】
ステップＳ２０８では、ステップＳ２０７で決定した表示サイズ分だけ表示対象領域上をグレーに塗りつぶす仮のイメージを表示させ、処理を終了する。
【００４７】
また、ステップＳ２０６において、画像サイズが取得できなかった（Ｎｏ）と判断したならば、ステップＳ２０９の処理を行う。
【００４８】
ステップＳ２０９では、表示設定管理手段３０６が保存するレイアウト情報から対応する表示領域サイズそのものを、画像を表示させるべき表示サイズとして決定する。
【００４９】
ステップＳ２１０の処理は、前述したステップＳ２０８の処理と同様であり、仮のイメージを表示させ、処理を終了する。
【００５０】
本実施例における画像を表示させるべき適切な表示サイズの決定方法は、ステップＳ２０１において表示対象の画像サイズが取得できた場合には、その画像サイズのアスペクト比を保ちつつ、表示サイズが印刷レイアウト情報で指定される表示領域内で最大となるように決定し、ステップＳ２０１において表示対象の画像サイズが取得できなかった場合には、印刷レイアウト情報で指定される表示領域そのものを表示サイズとして決定する。前者は図５においてステップＳ２０５およびステップＳ２０７の処理であり、後者はステップＳ２０９の処理である。
【００５１】
次に、本発明の情報処理装置におけるインデックス印刷プレビュー処理の第二実施形態について説明する。
【００５２】
図６は、表示アプリケーション３０１の表示設定を行うユーザーインターフェース３０３の一例を示す表示画面の模式図である。図６の画面は、表示アプリケーション３０１が実行されている場合に、起動時やコマンドの入力、メニューの選択などの操作により表示設定入力手段３０５から表示される。
【００５３】
レイアウト設定項目６０１では、例えば５×３、８×４、１０×４などの、１画面に対しての画像並びが指定される。
【００５４】
画像指定項目６０２では、表示対象となる画像データが指定される。本実施例では表示対象の画像データは図１に示した外部メモリデバイス１０４が保存している画像データとしているが、もちろん、本表示アプリケーションが実行されているコンピュータやあるいはネットワークにより接続されているコンピュータに管理されているファイル（表示可能な形式のものに限る）であっても良く、ファイル場所指定項目６０３の切り替えが行われることにより選択可能である。
【００５５】
なお、本実施例で実行される処理は、印刷プレビューであるため、図６で設定された情報は、図示しない印刷アプリケーションへ印刷設定値としてフィードバックされる。
【００５６】
図７は、本発明の情報処理装置におけるインデックス印刷プレビュー処理全体の第二実施形態のフローチャートである。なお、Ｓ３０１〜Ｓ３０７は各ステップを示す。
【００５７】
表示アプリケーション３０１が起動されると、ステップＳ３０１において、表示設定入力手段３０５が図６に示したユーザーインターフェースを介して表示設定情報を取得する。
【００５８】
ステップＳ３０１が取得した表示設定情報は、ステップＳ３０２において表示設定管理手段３０６が保存管理する。
【００５９】
ステップＳ３０３において、画像取得手段３０７は、ステップＳ３０２で保存した表示設定情報を参照して、表示対象画像データを通信インターフェース３０２を介して図１に示した外部メモリデバイス１０４より取得する。
【００６０】
ステップＳ３０４では、画像情報取得手段３０８が、ステップＳ３０３で取得した画像データから画像サイズを取得する。
【００６１】
ステップＳ３０５では、表示画像生成手段３０９が、ステップＳ３０３で取得した画像データから表示可能なビットマップ画像を生成する。
【００６２】
ステップＳ３０６では、ステップＳ３０２で保存した表示設定情報を参照して、ステップＳ３０５で生成した表示画像をインデックス印刷プレビューとして表示させる。表示対象の画像が、ステップＳ３０５において未だ生成されていない場合には、対象の表示領域に仮のイメージを表示させる。
【００６３】
ステップＳ３０６で表示させるインデックス印刷プレビューにおいて、全ての画像が表示された、つまり、仮のイメージを含まない状態で表示対象となっている全画像が表示されているかどうかを、表示制御手段３１０がステップＳ３０７で判断し、表示されていない（Ｎｏ）と判断された場合は、ステップＳ３０３の処理へ戻り、表示された（Ｙｅｓ）と判断された場合は、処理を終了する。
【００６４】
ステップＳ３０３〜ステップＳ３０７のそれぞれの処理は、図４に示すステップＳ１０２〜ステップＳ１０６のそれぞれの処理に対応している。
【００６５】
図８にインデックス印刷プレビューの表示例（全画像表示完了前の例）を示す。ページ８０１での表示設定（印刷設定）は、レイアウトが５×３、表示対象画像数が１４と指定されている。
【００６６】
図８において、（Ｘ１，Ｙ１）、（Ｘ２，Ｙ１）・・・（Ｘ１，Ｙ２）までの各表示領域に対応する表示対象画像については、表示画像がすでに生成され、表示されている。（Ｘ２，Ｙ２）、（Ｘ３，Ｙ２）・・・（Ｘ１，Ｙ３）までの各表示領域に対応する表示対象画像については、未だ表示画像が生成されていないが、画像サイズは取得できているので、画像サイズに沿った表示サイズで仮のイメージが表示されている。（Ｘ２，Ｙ３）、（Ｘ３，Ｙ３）、（Ｘ４，Ｙ３）の各表示領域に対応する表示対象画像については、未だ表示画像が生成されておらず、画像サイズも取得できていないため、表示領域そのものを表示サイズとした仮のイメージが表示されている。
【００６７】
また、図示しないが、図８に示した表示例での表示設定において更に表示処理が進むと、図８の（Ｘ２，Ｙ２）、（Ｘ３，Ｙ２）・・・（Ｘ１，Ｙ３）までの各表示領域には、仮のイメージと同サイズの表示画像が順次表示され、（Ｘ２，Ｙ３）、（Ｘ３，Ｙ３）、（Ｘ４，Ｙ３）の各表示領域には、まず画像サイズに沿った仮のイメージが順次表示され、その後仮のイメージと同サイズの表示画像が順次表示される。
【００６８】
表示対象画像が未だ表示可能な状態でない場合でも、例えば図８の（Ｘ２，Ｙ２）には縦長画像が表示されるというふうに、全体の最終的な表示レイアウトが見て取れる。
【００６９】
以上、本発明の好適な実施形態の構成および動作を示すための実施例について説明した。
【００７０】
なお、上記実施形態では、画像の印刷プレビュー表示に関して説明したが、印刷プレビューに限られるものではなく、どのようなインデックス表示であったとしても、本発明の効果は得られるものである。
【図面の簡単な説明】
【００７１】
【図１】本発明の一実施形態を示す表示システムの一例を示す構成図である。
【図２】本発明の一実施形態を示す表示システムにおける情報処理装置のハードウェア構成例を示すブロック図である。
【図３】図２に示した情報処理装置において実行される表示アプリケーションの機能構成図を示すブロック図である。
【図４】本発明の情報処理装置におけるインデックス印刷プレビュー処理全体の第一実施形態のフローチャートである。
【図５】本発明の情報処理装置におけるインデックス印刷プレビュー処理での表示制御処理のフローチャートである。
【図６】図３に示した表示アプリケーションの表示設定を行うユーザーインターフェースの一例を示す表示画面の模式図である。
【図７】本発明の情報処理装置におけるインデックス印刷プレビュー処理全体の第二実施形態のフローチャートである。
【図８】本発明の情報処理装置におけるインデックス印刷プレビューによる全画像表示完了前の表示例を示す。
【符号の説明】
【００７２】
１００  情報処理装置（ＰＣ）
１０１  表示装置
１０２  本体
１０３  入力デバイス
１０４  外部メモリデバイス（カードコントローラ）
１０５  インクジェットプリンタ
１０６  ＵＳＢインターフェース
２０１  ＣＰＵ
２０２  ＲＡＭ
２０３  ＲＯＭ
２０４  ハードディスク（ＨＤＤ）
２０５  通信インターフェース
２０６  キーボード
２０７  マウス
２０８  システムバス
【図２】
2006072915.tif 000003
【図３】
2006072915.tif 000004
【図４】
2006072915.tif 000005
【図５】
2006072915.tif 000006
【図７】
2006072915.tif 000007
【図１】
2006072915.tif 000008
【図６】
2006072915.tif 000009
【図８】
2006072915.tif 000010